(57)【要約】【課題】  脚に折り目がないタイプのズボンと、折り目があるタイプのズボンの両方を、一台で仕上げることを可能にし、最小限の設備、スペースでタイプの異なるズボンを、効率良く、また作業者に肉体的な負担を強いることなく、楽な姿勢で仕上げることができるようにする。【解決手段】  本発明は、ズボン１の股上部分１ａを下方から被せてズボン１を懸吊状に取り付けるためのパッド２を備え、このパッド２に膨張袋６を被覆状に取り付け、この膨張袋６でズボン１の股上部分１ａを外方に緊張するズボン仕上げ機である。上記の膨張袋６を、ズボン１の左右の脚１ｂの中に配置させて脚１ｂを外方に緊張する左右一対の長袋部分６ａと、この長袋部分６ａをズボン１の脚１ｂの緊張仕上げ後に引き上げてズボン１をパッド２から取り外し可能にする操作手段６ｂとを備えて形成する。【選択図】      図１
2017202083.tif 000002
【特許請求の範囲】
【請求項１】
ズボンの股上部分を下方から被せてズボンを懸吊状に取り付けるためのパッドを備え、このパッドに膨張袋が被覆状に取り付けられ、この膨張袋でズボンの股上部分が外方に緊張されるズボン仕上げ機であって、上記の膨張袋が、ズボンの左右の脚の中に配置されて脚を外方に緊張する左右一対の長袋部分と、この長袋部分をズボンの脚の緊張仕上げ後に引き上げてズボンをパッドから取り外し可能にする操作手段とを備えて形成されていることを特徴とするズボン仕上げ機。
【請求項２】
請求項１記載のズボン仕上げ機であって、膨張袋が、ズボンの股上部分をパッドに被せる際に、ズボンの股上部分の両側面に対応する膨張袋の側面箇所を下方に緊張する重りを備えて形成されていることを特徴とするズボン仕上げ機。
【請求項３】
請求項１又は２記載のズボン仕上げ機であって、操作手段が線状部材であり、この線状部材の一端が膨張袋の長袋部分内の下端に連結され、他端が膨張袋の腰周りの細筒状の折り返し部に通されると共に、膨張袋の前側から引き出されて露出状に垂れ下げられていることを特徴とするズボン仕上げ機。
【請求項４】
請求項１又は２記載のズボン仕上げ機であって、操作手段が線状部材であり、この線状部材の一端が膨張袋の長袋部分内の下端に連結され、他端が長袋部分をズボンの脚の緊張仕上げ後に引き上げる牽引手段に連結されていることを特徴とするズボン仕上げ機。
【請求項５】
請求項１記載のズボン仕上げ機に使用する膨張袋であって、ズボンの左右の脚の中に配置されて脚を外方に緊張する左右一対の長袋部分と、この長袋部分をズボンの脚の緊張仕上げ後に引き上げてズボンをパッドから取り外し可能にする操作手段とを備えて形成されていることを特徴とする膨張袋。
【請求項６】
請求項５記載のズボン仕上げ機に使用する膨張袋であって、ズボンの股上部分をパッドに被せる際に、ズボンの股上部分の両側面に対応する膨張袋の側面箇所を下方に緊張する重りを備えて形成されていることを特徴とする膨張袋。
【請求項７】
請求項５又は６記載のズボン仕上げ機に使用する膨張袋であって、操作手段が線状部材であり、この線状部材の一端が膨張袋の長袋部分内の下端に連結され、他端が膨張袋の腰周りの細筒状の折り返し部に通されると共に、膨張袋の前側から引き出されて露出状に垂れ下げられていることを特徴とする膨張袋。
【請求項８】
請求項５又は６記載のズボン仕上げ機に使用する膨張袋であって、操作手段が線状部材であり、この線状部材の一端が膨張袋の長袋部分内の下端に連結され、他端が長袋部分をズボンの脚の緊張仕上げ後に引き上げる牽引手段に連結可能に形成されていることを特徴とする膨張袋。
【発明の詳細な説明】
【技術分野】
【０００１】
本発明は、洗濯したズボンを吊下げた状態で緊張仕上げできるよう形成したズボン仕上げ機に関し、更に詳しくはズボン仕上げ機及びこれに使用する膨張袋に関するものである。
【背景技術】
【０００２】
従来、この種の仕上げ機としては、例えば特許文献１に記載されているものがある。
この従来機は、ズボンの股上部分を下方から被せてズボンを懸吊状に取り付けるためのパッドを備えて形成されている。そして、この従来機は、パッドに膨張袋が被覆状に取り付けられ、この膨張袋でズボンの股上部分を外方に緊張可能に形成されている。
【０００３】
ところで、ズボンは、背広のズボンのように、折り目のあるタイプと、ニット製のパンツやジーンズ製のパンツのように、脚（股下部分）に折り目のないタイプとがある。
【０００４】
従来、前者のズボン仕上げ機は、パッドに、ズボンの股上部分だけを緊張する大きさの膨張袋が設けられていた。また後者の仕上げ機の場合は、膨張袋がズボンの脚も緊張できるよう長く形成されていた。
【０００５】
従って、従来、クリーニング工場では、ズボンのタイプに応じて膨張袋の仕様が異なる二種類の仕上げ機を揃える必要があった。
その結果、従来は、工場内に、この種仕上げ機を設置するスペースが広く必要になり、また導入コストや設備コストがかかる、という問題点があった。
【０００６】
また従来、例えばズボンのタイプに応じて膨張袋を交換し、一台で処理しているクリーニング工場もあった。しかしながら、この場合は、膨張袋の交換作業に多大な手間暇がかかり、その結果、作業能率が低下するのを避けられなかった。
【０００７】
また後者のズボン仕上げ機は、膨張袋の寸法が長いため、作業者はかがんでズボンの股上部分をパッドに被せる必要があった。
そのため、従来、この種の仕上げ機の場合は、作業が不便であっただけではなく、作業者に肉体的な負担を強いる、という問題点があった。
【先行技術文献】
【特許文献】
【０００８】
【特許文献１】特開２００７−１１７３９０号公報
【発明の概要】
【発明が解決しようとする課題】
【０００９】
本発明は、このような従来技術の問題点に鑑み、提案されたものである。
従って、本発明の解決しようとする技術的課題は、脚に折り目がないタイプのズボンと、折り目があるタイプのズボンの両方を、一台で仕上げることを可能にし、最小限の設備、スペースでタイプの異なるズボンを、効率良く、また作業者に肉体的な負担を強いることなく、楽な姿勢で作業できるよう形成したズボン仕上げ機及びこれに使用する膨張袋を提供することにある。
【課題を解決するための手段】
【００１０】
本発明は、上記の課題を解決するため、次のような技術的手段を採る。
即ち、本発明は、図１等に示されるように、ズボン１の股上部分１ａを下方から被せてズボン１を懸吊状に取り付けるためのパッド２を備え、このパッド２に膨張袋６が被覆状に取り付けられ、この膨張袋６でズボン１の股上部分１ａが外方に緊張されるズボン仕上げ機であって、上記の膨張袋６が、ズボン１の左右の脚１ｂの中に配置されて脚１ｂを外方に緊張する左右一対の長袋部分６ａと、この長袋部分６ａをズボン１の脚１ｂの緊張仕上げ後に引き上げてズボン１をパッド２から取り外し可能にする操作手段６ｂとを備えて形成されていることを特徴とする（請求項１）。
【００１１】
本発明の場合、膨張袋６が、ズボン１の股上部分１ａをパッド２に被せる際に、ズボン１の股上部分１ａの両側面に対応する膨張袋６の側面箇所６ｃを下方に緊張する重り９を備えて形成されているのが好ましい（請求項２）。
【００１２】
なぜならこれによると、ズボン１のセット時に、重り９によって、膨張袋６の捲れを防止でき、ズボン１の股上部分１ａをパッド２に被せ易くなるからである。またこの場合は、重り９によって膨張袋６を下方に緊張でき、膨張袋６の側面箇所６ｃに弛み（皴）が発生することを防止できる。そのため、ズボン１の股上部分１ａの側面をタック押え５で押えたとき、この種の弛みが、ズボン１の股上部分１ａの側面に不要な皴を付けることを防止でき、ズボン１の股上部分１ａの両側面を綺麗に仕上げることができるからである。
【００１３】
また本発明は、図１、図３等に示されるように、操作手段６ｂが線状部材であり、この線状部材の一端が膨張袋６の長袋部分６ａ内の下端に連結され、他端が膨張袋６の腰周りの細筒状の折り返し部６ｅに通されると共に、膨張袋６の前側から引き出されて露出状に垂れ下げられているのが好ましい（請求項３）。
【００１４】
本発明の場合、操作手段６ｂは、線状部材には限られず、例えば伸縮自在の棒状部材でも良い。但し、操作手段６ｂが線状部材で形成される場合は、線状部材の他端を持って、長袋部分６ａを手動で引き上げ、引き下ろしでき、この種の操作を、楽に且つ簡単な構造でできる、という利点がある。またこの場合は、長袋部分６ａ内に広いスペースを必要としないから、膨張袋６の内部に操作手段６ｂを講じ易くなる。なお、線状部材としては、例えば紐、ワイヤー、チェーンなどがある。
【００１５】
また本発明は、図１４に示されるように、操作手段６ｂが線状部材であり、この線状部材の一端が膨張袋６の長袋部分６ａ内の下端に連結され、他端が長袋部分６ａをズボン１の脚１ｂの緊張仕上げ後に引き上げる牽引手段１１に連結されているのでも良い（請求項４）。
【００１６】
なぜならこれによると、膨張袋６の長袋部分６ａの引き上げ操作を牽引手段１１で自動化でき、この種の操作を、楽に且つ迅速にできるからである。なお、牽引手段１１としては、例えばモータやシリンダ等がある。
【００１７】
而して、本発明のズボン仕上げ機に使用する膨張袋６としては、図１等に示されるように、ズボン１の左右の脚１ｂの中に配置されて脚１ｂを外方に緊張する左右一対の長袋部分６ａと、この長袋部分６ａをズボン１の脚１ｂの緊張仕上げ後に引き上げてズボン１をパッド２から取り外し可能にする操作手段６ｂとを備えて形成されていることを特徴とするものがある（請求項５）。
【００１８】
この場合、本発明の膨張袋６は、ズボン１の股上部分１ａをパッド２に被せる際に、ズボン１の股上部分１ａの両側面に対応する膨張袋６の側面箇所６ｃを下方に緊張する重り９を備えて形成されているのが好ましい（請求項６）。
【００１９】
なぜならこれによると、ズボン１のセット時に、膨張袋６の捲れを防止でき、パッド２にズボン１の股上部分１ａを被せ易くなるからである。またこれによると、膨張袋６の側面箇所６ｃに皴が付くことを防止でき、この種の皴がズボン１の股上部分１ａの両側面に悪影響を及ぼすことを防止でき、ズボン１を綺麗に仕上げることができるからである。
【００２０】
また本発明の膨張袋６は、図１〜図３等に示されるように、操作手段６ｂが線状部材であり、この線状部材の一端が膨張袋６の長袋部分６ａ内の下端に連結され、他端が膨張袋６の腰周りの細筒状の折り返し部６ｅに通されると共に、膨張袋６の前側から引き出されて露出状に垂れ下げられているのが好ましい（請求項７）。
【００２１】
なぜならこれによると、操作手段６ｂが線状部材のため、この線状部材の他端を持って、長袋部分６ａを手動で引き上げ、引き下ろしでき、長袋部分６ａを簡便に上下動できるからである。またこの場合は、操作手段６ｂの配設スペースが小さくて済むため、膨張袋６内に操作手段６ｂを講じ易いからである。なお、線状部材としては、例えば紐、ワイヤー、チェーンなどがある。
【００２２】
また本発明の膨張袋６は、図１４に示されるように、操作手段６ｂが線状部材であり、この線状部材の一端が膨張袋６の長袋部分６ａ内の下端に連結され、他端が長袋部分６ａをズボン１の脚１ｂの緊張仕上げ後に引き上げる牽引手段１１に連結可能に形成されているのでも良い（請求項８）。
【００２３】
なぜならこれによると、牽引手段１１で膨張袋６の長袋部分６ａを自動で引き上げることができ、引き上げ操作を、楽に且つ迅速にできるからである。ここで、牽引手段１１としては、例えばモータやシリンダ等がある。
【発明の効果】
【００２４】
本発明の仕上げ機及び膨張袋は、このように形成されている。
従って、これによれば、脚に折り目がないタイプのズボンと、折り目があるタイプのズボンの両方を、一台で仕上げることができる。
それ故、本発明によると、一台で済む分、設置スペースの節減化や導入コストの軽減化を図ることができる。
【００２５】
また本発明の場合は、膨張袋の長袋部分を上げ下ろしするだけで良いから、これによれば、タイプの異なるズボンを、簡単な操作で効率良く処理できる。
また本発明は、長袋部分を引き上げて高い位置に配置した状態でズボンをセットできる。
従って、これによると、作業者はかがむことなく、楽な姿勢で作業を行うことができる。
【図面の簡単な説明】
【００２６】
【図１】本発明の好適な一実施形態を示す使用状態時の要部正面図である。
【図２】本発明の使用状態時の要部正面図である。
【図３】本発明の使用状態時の要部側面図である。
【図４】本発明の使用状態時の要部側面図である。
【図５】図４の膨張袋の状態を示す要部断面図である。
【図６】本発明の使用状態時の要部側面図である。
【図７】図６の膨張袋の状態を示す要部断面図である。
【図８】膨張袋の作用を説明するための要部断面図である。
【図９】膨張袋の作用を説明するための要部断面図である。
【図１０】膨張袋の他の実施形態を示す要部断面図である。
【図１１】図１０の実施形態の膨張袋の作用を説明するための要部断面図である。
【図１２】図１０の実施形態の膨張袋の作用を説明するための要部断面図である。
【図１３】図１０の実施形態の膨張袋の作用を説明するための要部断面図である。
【図１４】本発明の他の実施形態を示す要部構成図である。
【発明を実施するための形態】
【００２７】
以下、本発明の仕上げ機、及びこれに使用する膨張袋の好適な一実施形態を、添付図面に従って説明する。
【００２８】
本発明の仕上げ機は、図１等に示されるように、ズボン１の股上部分１ａを下方から被せてズボン１を懸吊状に取り付けるためのパッド２を備えて形成されている。
【００２９】
パッド２は、支柱３の上部のフレーム４の前端部に、垂下状に設けられている。５は、左右一対状のタック押えである。このタック押え５は、ハンドル５ａを内方に操作することで、ズボン１のタックをパッド２に押し付け可能に形成されている。
【００３０】
６は、パッド２に被覆状に取り付けられる膨張袋である。この膨張袋６は、スチームや熱風で膨張し、ズボン１の股上部分１ａを外方に緊張して仕上げるものである。
なお、この実施形態の場合、膨張袋６は、水平状の案内棒７（図３等参照）に沿って後方に牽引可能に形成されている。従って、ズボン１の股上部分１ａは、膨張袋６の後方への移動で拡げられ、その状態でスチームや熱風で緊張される。
【００３１】
而して、膨張袋６は、ズボン１の左右の脚１ｂの中に配置されて脚１ｂを外方に緊張する左右一対の長袋部分６ａと、この長袋部分６ａをズボン１の脚１ｂの緊張仕上げ後に引き上げてズボン１をパッド２から取り外し可能にする操作手段６ｂとを備えて形成されている。長袋部分６ａは、ズボン１の裾までしっかりと緊張できる長さに形成されている。また操作手段６ｂは、この実施形態では線状部材としての紐である。この紐は、膨張袋６の腰周りの前側に設けられているクリップ８で締付状態の解除と固定が可能になるよう設けられている。
【００３２】
また膨張袋６は、長袋部分６ａの引き上げ時に、ズボン１の股上部分１ａの両側面に対応する側面箇所６ｃを下方に緊張する重り９を備えて形成されている。膨張袋６の側面箇所６ｃは、この重り９によって緊張する。従って、作業者は、長袋部分６ａを引き上げる際に、例えば長袋部分６ａを捲し上げることなく、ズボン１の股上部分１ａを、パッド２に楽に被せることができる。
【００３３】
また本発明は、この重り９によって、膨張袋６の側面箇所６ｃに皴が生じない。従って、これによれば、タック押え５でズボン１の股上部分１ａの側面をプレスしたとき、この種の皴が原因となるプレス皴を、ズボン１の股上部分１ａの側面に付けることがない。
【００３４】
１０は、袋下降用重りである。この袋下降用重り１０は、長袋部分６ａの底の閉塞空間部６ｄに、転動自在に収納されている。作業者は、この袋下降用重り１０によって、操作手段６ｂとしての紐の固定を解いたとき、膨張袋６の長袋部分６ａを下まで円滑に且つ確実に下げることができる。また操作手段６ｂとしての紐を引いて膨張袋６の長袋部分６ａを手動で引き上げるとき、作業者は、手応えを感じながら確実に引き上げることができる。
【００３５】
また上記の操作手段６ｂとしての紐は、一端が膨張袋６の長袋部分６ａ内の下端に連結されている。また他端は、膨張袋６の腰周りの細筒状の折り返し部６ｅに通されると共に、膨張袋６の前側から引き出されて露出状に垂れ下げられている。
なお、本発明の場合、操作手段６ｂは紐には限れず、その他、例えばワイヤー等の線状部材で形成されているのでも良い。
【００３６】
次に、本発明の作用を、ズボン１のタイプに分けて説明する。
【００３７】
先ず、脚１ｂ（股下部分）に折り目のないズボン１（例えばニット製のパンツやジーンズ製のパンツ等）の場合は、図２に示されるように、本発明は、膨張袋６の長袋部分６ａが引き上げられている状態で使用される。具体的には、同図に矢示されるように、作業者は、先ずズボン１の股上部分１ａを、膨張袋６が装着されているパッド２に、下方から被せる。この場合、本発明は、長袋部分６ａが引き上げられているから、作業者は、腰をかがめることなく、楽にズボン１をセットできる。
【００３８】
次に作業者は、ズボン１の腰周りの前側が肌蹴けないよう、前側の中央部を押え鏝（図示せず）で固定する。そして、水平状の案内棒７（図３、図４参照）に沿って腰周りの後側を、後方にスライドさせる。これにより、ズボン１の股上部分１ａが後方へ拡げられる。
【００３９】
次に作業者は、左右一対のタック押え５を夫々手動でズボン１のタックに向けて回動させ、ズボン１のタックをタック押え５でパッド２に押し付ける。これにより、ズボン１は、パッド２に懸吊状に固定される（図１、図４等の鎖線状態参照）  。
【００４０】
その後、作業者は、操作手段６ｂとしての紐の締付状態を解き、膨張袋６の長袋部分６ａを下げる（図６、図７の状態参照）。具体的には、先ず作業者は、クリップ８を介して紐を緩める。すると、長袋部分６ａは、重り９と袋下降用重り１０の作用で下降する。そこで、次に作業者は、紐の他端を持って長袋部分６ａを徐々に下ろして行くものである。
【００４１】
次にこの状態で、蒸気が、膨張袋６内に所定時間だけ噴射される。すると、膨張袋６が、長袋部分６ａと共に膨張し、ズボン１の全体を蒸らして緊張する。その後、膨張袋６内に熱風が送られる。これにより、ズボン１は、股上部分１ａから脚１ｂの先まで、しっかりと緊張され、乾燥仕上げされる。
【００４２】
その後、作業者は、操作手段６ｂとしての紐の他端を、袋下降用重り１０の下向きに働く力に抗して牽引する。これにより、膨張袋６の長袋部分６ａが、図８、図９に示されるように、徐々に引き上げられ、図５に示される当初の位置に復帰する。なお、紐を牽引する長さは、この実施形態では６０ｃｍ程度に選定されている。
【００４３】
而して、当初の位置に復帰した膨張袋６は、その側面箇所６ｃが、重り９によって下方に引っ張られている。そのため、膨張袋６の長袋部分６ａは、側面箇所６ｃの内側に整然と納まって、配置される。
それ故、本発明によれば、ズボン１の股上部分１ａをパッド２から脱がしたり、パッド２に被せるとき、この種の作業を容易にできる。また本発明の場合は、膨張袋６の側面箇所６ｃに皴が寄らないため、これによると、この種の皴が原因となるプレス皴を、ズボン１の股上部分１ａの両側面に付けることがない。
【００４４】
而して、ズボン１の緊張仕上げが完了したら、作業者は、ズボン１をパッド２から下方に引いて取り外す。この場合、本発明は、長袋部分６ａが引き上げられ、高い位置に配置されている。従って、セットのときと同様、作業者は高い位置でズボン１を楽に取り外すことができる。
【００４５】
次に脚１ｂに折り目のあるズボン１を仕上げる場合について説明する。
【００４６】
この場合は、膨張袋６の長袋部分６ａが引き上げられている状態で作業が行われる。即ち、図２等に示されるように、作業者は、長袋部分６ａが高い位置に配置されている状態で、先ずズボン１の股上部分１ａを、パッド２に被せてセットする。
【００４７】
次に作業者は、ズボン１の股上部分１ａの後側を後方に引き、タック押え５でタックを固定した後、膨張袋６に蒸気を所定時間だけ噴射して、股上部分１ａを蒸らす。そして、膨張袋６に熱風を吹き込み、股上部分１ａを乾燥させて緊張仕上げする。
【００４８】
その後、作業者は、パッド２から股上部分１ａを取り外し、その後、脚１ｂをアイロン等の専用の装置で仕上げる。
なお、本発明の仕上げ機が、ズボン１の裾を下方に牽引するクランパ―を備えて形成されている場合は、クランパーを支柱３に沿って下降させ、このクランパ―で脚１ｂを牽引した状態で、ズボン１の緊張仕上げを行うのが良い。
【００４９】
以上の処において、上例では、重り９と共に、袋下降用重り１０が設けられているが、本発明は、これに限定されるものではない。
【００５０】
即ち、本発明は、図１０〜図１３に示されるように、袋下降用重り１０が省略され、重り９だけで構成されているのでも良い。この場合は、重り９が袋下降用重り１０の役目も果たすことができるよう、その重さを適宜選定する。
【００５１】
長袋部分６ａは、図１１に示される状態において、操作手段６ｂとしての紐が引かれると、図１２、図１３に示されるように、徐々に引き上げられ、最終的には図１０に示される当初の状態に復帰する。この実施形態のように、袋下降用重り１０が省略されて形成される場合は、部品数を減らすことができ、構造を簡素化できる分、コストを低減化できる、という利点がある。
【００５２】
また本発明の仕上げ機は、図１４に示されるように形成されているのでも良い。即ち、この実施形態の場合は、操作手段６ｂが、紐等の線状部材で形成され、この線状部材としての紐の一端が膨張袋６の長袋部分６ａ内の下端に連結され、他端が長袋部分６ａをズボン１の脚１ｂの緊張仕上げ後に引き上げる牽引手段１１に連結されている。
【００５３】
この実施形態の場合、牽引手段１１はモータで形成されている。操作手段６ｂとしての線状部材の他端は、膨張袋６の上方に配置されている滑車１２を介して牽引手段１１としてのモータに接続されている。
【００５４】
この実施形態に係る本発明の場合は、長袋部分６ａの引き上げ、引き下ろし動作を、牽引手段１１としてのモータで自動化できる。従って、これによると、作業者の労力を軽減でき、作業効率をアップできる。
【符号の説明】
【００５５】
１      ズボン
１ａ    股上部分
１ｂ    脚
２      パッド
６      膨張袋
６ａ    長袋部分
６ｂ    操作手段
【図１】
2017202083.tif 000003
【図２】
2017202083.tif 000004
【図３】
2017202083.tif 000005
【図４】
2017202083.tif 000006
【図５】
2017202083.tif 000007
【図６】
2017202083.tif 000008
【図７】
2017202083.tif 000009
【図８】
2017202083.tif 000010
【図９】
2017202083.tif 000011
【図１０】
2017202083.tif 000012
【図１１】
2017202083.tif 000013
【図１２】
2017202083.tif 000014
【図１３】
2017202083.tif 000015
【図１４】
2017202083.tif 000016